(57)【要約】【課題】  侘寂のある空間と調和して情緒に溢れた雰囲気を創出することができ、外観も良好で故障の心配も少なく、しかも、安全で経済的な発光装飾シート及びそれを利用した壁掛けパネルを提供すること。【解決手段】  任意の発光色を有するＬＥＤランプ11と、当該ＬＥＤランプ11を螢火の如く明滅させる制御部12と、前記ＬＥＤランプ11と制御部12及び制御部12と電源を接続する導線13とを含んで成る回路ユニット１を、和紙生地２の中に抄き込んだ。【選択図】  図１
0003122982.tif 000002
【実用新案登録請求の範囲】
【請求項１】
任意の発光色を有するＬＥＤランプ11と、当該ＬＥＤランプ11を螢火の如く明滅させる制御部12と、前記ＬＥＤランプ11と制御部12及び制御部12と電源を接続する導線13とを含んで成る回路ユニット１が、和紙生地２中に抄き込まれていることを特徴とする発光装飾シート。
【請求項２】
任意の発光色を有するＬＥＤランプ11と、当該ＬＥＤランプ11を螢火の如く明滅させる制御部12と、前記ＬＥＤランプ11と制御部12及び制御部12と電源を接続する導線13とを含んで成る回路ユニット１を、一対の和紙生地２・２間に配置し、生地を張り合わせてサンドウィッチ構造にしたことを特徴とする発光装飾シート。
【請求項３】
和紙生地２に撥水性が付与されていることを特徴とする請求項１または２に記載の発光装飾シート。
【請求項４】
任意の発光色を有する複数のＬＥＤランプ11・11…と、当該ＬＥＤランプ11を所要のタイミングで明滅させる制御部12と、前記各ＬＥＤランプ11と制御部12及び制御部12と電源を接続する導線13とを含んで成る回路ユニット１が、和紙生地２中に抄き込まれて成る発光装飾シートがパネル体Ｐを構成しており、このパネル体Ｐの上下外端には、導線13で制御部12と繋がる電極部14・14が設けられており、この電極部14・14と上下に配置される他のパネル体Ｐ’の電極部14’とを接続して任意個数のパネル体Ｐを電気的に連接するとともに、上端に位置する電極部14を、吊支バー３に一体的に配線され、かつ、電源へと繋がる導線13に接続して構成したことを特徴とする発光装飾シートを利用した壁掛けパネル。
【請求項５】
任意の発光色を有する複数のＬＥＤランプ11・11…と、当該ＬＥＤランプ11を所要のタイミングで明滅させる制御部12と、前記各ＬＥＤランプ11と制御部12及び制御部12と電源を接続する導線13とを含んで成る回路ユニット１において、各パネル体Ｐ・Ｐ…のＬＥＤランプ11・11…の明滅パターンが異なるように制御部12・12…が設定されていることを特徴とする請求項４記載の発光装飾シートを利用した壁掛けパネル。
【考案の詳細な説明】
【技術分野】
【０００１】
本考案は、発光装飾器具の改良、詳しくは、侘寂を有した空間と調和して情緒に溢れた雰囲気を創出することができ、故障の心配も少なく、しかも、外観も良好な発光装飾器具を構成することができる発光装飾シートとそれを利用した壁掛けパネルに関するものである。
【背景技術】
【０００２】
周知のとおり、最近では、光によって気分を創出する照明効果を利用した装飾器具を多く見ることができ、その中でも、独特の光拡散性を有した和紙を、光源とを組み合わせた発光装飾品の人気が高い。
【０００３】
そして、このような和紙を利用した発光装飾器具としては、＜特許文献１＞にあるような、光源の周囲にカバー材として和紙を配設したぼんぼり型の装飾器具が従来においてよく知られている（例えば、特許文献１参照）。
【０００４】
しかしながら、上記従来の装飾器具に関しては、和風の雰囲気を作出することができるものの、静閑な和室に飾ると、その立体的で特徴的な形態と電球による強光度の照明により存在が派手に際立ち過ぎて煩く感じられてしまい、侘寂の趣を損なってしまうという欠点があった。
【０００５】
また、光源に電球を使用していることから、電球の高い発熱により和紙が発火する危険性があっただけでなく、電力の消費量も大きかったため、経済的な装飾器具とは云えなかった。
【０００６】
一方、近年では、低発熱で電力消費量も小さい発光ダイオード(LED)を光源として用いた装飾器具も一般的になっており、従来においては、このような装飾器具として、＜特許文献２＞にあるような額縁状の形態で収容した絵画やパズル等の後方からダイオードを発光させることにより装飾効果を高めたものが公知となっている。
【０００７】
ところが、上記の装飾器具では、収容物に和紙を使用したとしても額縁の印象が強過ぎて、和風の雰囲気を上手く出すことができないという問題があった。
【０００８】
さらに、発光ダイオードに接続した各々の導線を、額縁の外部に設けた制御器に繋ぐ構造であったため、外部に表出する導線の本数が多くなってデザインを損ない、加えて、これらの導線に対する衝撃や負荷を要因とした接触不良による故障も起こり易かった。
【０００９】
また、上記の装飾器具においては、額縁の後部に取り付けた制御器、及び発光ダイオードや導線を固定する背板によって装飾器具の厚みが不可避的に大きくなってしまうため、薄型化が困難で、背板を含めた全体の重量も大きかったことから設置や搬送を容易に行うことができなかった。
【特許文献１】登録実用新案３００１９５１号公報（第２−６頁、第１−５図）
【特許文献２】実開平６−１６０９９号公報（第２−５頁、第１−１１図）
【考案の開示】
【考案が解決しようとする課題】
【００１０】
本考案は、この上記の問題に鑑みてなされたものであって、その目的とするところは、侘寂のある空間と調和して情緒に溢れた雰囲気を創出することができ、外観も良好で故障の心配も少なく、しかも、安全で経済的な発光装飾シート及びそれを利用した壁掛けパネルを提供することにある。
【課題を解決するための手段】
【００１１】
本考案者が、上記課題を解決するために採用した手段を添付図面を参照して説明すれば次のとおりである。
【００１２】
即ち、本考案は、任意の発光色を有するＬＥＤランプ11と、当該ＬＥＤランプ11を螢火の如く明滅させる制御部12と、前記ＬＥＤランプ11と制御部12及び制御部12と電源を接続する導線13とを含んで成る回路ユニット１を、和紙生地２の中に抄き込んだ点に特徴がある。
【００１３】
また、本考案においては、上記課題を解決するために、必要に応じて上記手段に加え、任意の発光色を有するＬＥＤランプ11と、当該ＬＥＤランプ11を螢火の如く明滅させる制御部12と、前記ＬＥＤランプ11と制御部12及び制御部12と電源を接続する導線13とを含んで成る回路ユニット１を、一対の和紙生地２・２間に配置し、生地を張り合わせてサンドウィッチ構造に作製するという技術的手段を採用することができる。
【００１４】
また、本考案においては、上記課題を解決するために、必要に応じて上記手段に加え、和紙生地２に撥水性を付与するという技術的手段を採用することができる。
【００１５】
また、本考案においては、上記課題を解決するために、必要に応じて上記手段に加え、任意の発光色を有する複数のＬＥＤランプ11・11…と、当該ＬＥＤランプ11を所要のタイミングで明滅させる制御部12と、前記各ＬＥＤランプ11と制御部12及び制御部12と電源を接続する導線13とを含んで成る回路ユニット１が、和紙生地２中に抄き込んで成る発光装飾シートがパネル体Ｐを構成しており、このパネル体Ｐの上下外端には、導線13で制御部12と繋がる電極部14・14を設け、この電極部14・14と上下に配置される他のパネル体Ｐ’の電極部14’とを接続して任意個数のパネル体Ｐを電気的に連接するとともに、上端に位置する電極部14を、吊支バー３に一体的に配線され、かつ、電源へと繋がる導線13に接続して構成するという技術的手段を採用することができる。
【００１６】
また、本考案においては、上記課題を解決するために、必要に応じて上記手段に加え、任意の発光色を有する複数のＬＥＤランプ11・11…と、当該ＬＥＤランプ11を所要のタイミングで明滅させる制御部12と、前記各ＬＥＤランプ11と制御部12及び制御部12と電源を接続する導線13とを含んで成る回路ユニット１において、各パネル体Ｐ・Ｐ…のＬＥＤランプ11・11…の明滅パターンが異なるように制御部12・12…を設定するという技術的手段を採用することができる。
【考案の効果】
【００１７】
本考案においては、任意の発光色を有するＬＥＤランプと、発光の強弱及び点滅の制御を行う制御部と、発光ダイオードと制御部及び制御部と電源を接続する導線とを含んで成る回路ユニットを和紙生地中に抄き込むことにより、回路ユニットを生地内部に密着状態に固定し、さらに、発光ダイオードが螢火の如く明滅するように制御部を設定することによって、情緒に溢れた和の気分を創出することのできるシート型の発光装飾器具を完成させた。
【００１８】
そして、この発光装飾器具に関しては、発光ダイオードの光が和紙生地に包囲されて柔らかく分散されることから、派手に目立ち過ぎるようなことはなく、また、装飾器具の外観も和紙生地そのものであることから、和室等のインテリアとして自然に馴染むため、和風の空間に調和して侘寂の雰囲気が損なわれることはない。
【００１９】
また、装飾器具の外部には、制御部と電源とを接続する導線しか表出しないため、導線への衝撃や負荷による接触不良が生じる可能性は低く、加えて、表出する導線が少ないことから、良好な外観を実現できる。
【００２０】
加えて、回路ユニットを和紙生地の内部で固定したシート型の構造としたことから、発光ダイオードや導線を固定する背板は不要となり、装飾器具を薄型で軽量なものとできるため、運搬や設置も非常に容易となる。
【００２１】
しかも、光源として発光ダイオードを用いたことにより、低発熱で電力消費量を低減化することもできるため、火事の危険性もなく経済的である。
【００２２】
したがって、本考案により、侘寂のある空間での使用に適するとともに、和の風情を充分に堪能でき、さらに、経済的で使用性にも優れた装飾器具を提供することができることから、本考案の実用的利用価値は頗る高いと云える。
【考案を実施するための最良の形態】
【００２３】
『第１実施形態』
本考案の第１実施形態を具体的に図示した図１から図３に基いて更に詳細に説明すると次のとおりである。まず、図中において符号１で指示するものは、回路ユニットであり、符号２で指示するものは、和紙生地である。
【００２４】
次に、本実施形態の構成を以下から説明する。まず、本実施形態においては、任意の発光色を有するＬＥＤランプ11を制御部12と接続し、制御部12には電源と接続する導線13を設けて回路ユニット１を作製した（図１、図２参照）。そして、電源から回路ユニット１に通電した際には、ＬＥＤランプ11が螢火の如く明滅するように制御部12の設定を行った（図３参照）。
【００２５】
なお、本実施形態では、回路ユニット１の制御部12に、ＬＥＤランプ11と接続する複数系統の導線13・13…を配設することで、多数のＬＥＤランプ11・11…を組み込めるように構成するとともに、回路ユニット１の電源に交流電源を採用し、変換器Ｃを介して制御部12に直流の電力を通電できるようにしている。
【００２６】
そして、この回路ユニット１を和紙生地２中に抄き込むことにより、皺のない滑らかな凹凸感及び良好な光拡散性を有した発光装飾シートを形成した。
【００２７】
この際、和紙生地２の材料としては、和紙繊維である楮や雁皮、三椏、麻等の中から適宜選択したものを使用すればよく、本実施形態では、選択した和紙繊維に糸材等の線条体21を混入して、回路ユニット１の抄き込みよって生じる凹凸感が過度に目立たないようにしている。
【００２８】
上記のように構成したことにより、和紙生地２の内部に配設したＬＥＤランプ11の螢火のような明滅によって、情緒に溢れた和の気分を創出することのできるシート型の発光装飾器具を完成させた。
【００２９】
さらに、この発光装飾器具に関しては、ＬＥＤランプ11の光が和紙生地に包囲されて柔らかく分散されることから、派手に目立ち過ぎるようなことはなく、また、装飾器具の外観も和紙生地そのものであることから、和室等のインテリアとして自然に馴染むため、静閑な空間に調和して侘寂の雰囲気を損なうことはない。
【００３０】
そして、装飾器具の外部には、制御部12と電源とを接続する導線13しか表出しないことから、導線13への衝撃や負荷による接触不良が生じる可能性は低く、加えて、表出する導線13が極めて少ないことから、良好な外観を実現できる。
【００３１】
また、回路ユニット１を和紙生地２の内部で固定した構造であることから、ＬＥＤランプ11や導線13を固定する背板は不要となり、装飾器具を薄型で軽量なものとすることができるため、運搬や設置も非常に容易となる。
【００３２】
そしてまた、光源としてＬＥＤランプ11を用いていることから、低発熱で電力消費量を低減化することもできるため、火事の危険性もなく経済的である。
【００３３】
なお、本実施形態では、和紙生地２に撥水性を付与することにより、通電時における湿気や水分の浸透に起因した回路ユニット１の故障を防止している。
【００３４】
さらに、回路ユニット１に組み込んだ各系統のＬＥＤランプ11・11…が、それぞれ異なるタイミングで明滅するように制御部12を設定したことによって、明滅位置を動的に変化させることができる動的意匠効果を奏することができる。
【００３５】
『第２実施形態』
本考案の第２実施形態を図４から図６に基いて詳細に説明する。まず、図中において、符号３で指示するものは、吊支バーである。本実施形態においては、回路ユニット１及び和紙生地２から成る発光装飾シートでパネル体Ｐを形成し、このパネル体Ｐの上下外端には、導線13で制御部12と繋がる電極部14・14を設けた（図４及び図５参照）。
【００３６】
そして、この電極部14・14と上下に配置される他のパネル体Ｐ’の電極部14’とを接続して任意個数のパネル体Ｐを電気的に連接すると共に、上端に位置する電極部14を、吊支バー３に一体的に配線され、かつ、電源へと繋がる導線13に接続して全体を構成した。
【００３７】
なお、本実施形態では、パネル体Ｐ・Ｐ’同士における電極部14・14’の電気的接続に、着脱自在な留め金を両端に有した導線を使用して、簡単にパネル体Ｐの付け足し及び取外しを行えるようにした。
【００３８】
上記のように構成したことにより、吊支バー３を壁に係止すれば和室等の掛け物として使用することができ、さらに、任意の長さに形成することもできる形態自由度の高い壁掛けパネルを作製することができる。
【００３９】
加えて、この壁掛けパネルは、個々のパネル体Ｐ・Ｐ…を電気的に連接していることから、吊支バー３に一体的に配線された導線を電源接続するだけで全体を通電することができるため、パネル体Ｐの数が増えても電源タップ等を使用することなく、容易に起動することができる。
【００４０】
さらに、本実施形態においては、各パネル体Ｐ・Ｐ…の回路ユニット１・１…に組み込んだＬＥＤランプ11・11…の明滅パターンが異なるように制御部12・12…を設定することにより、より面白みのある装飾効果を実現した。
【００４１】
また、本実施形態では、一つのパネル体Ｐを支持する吊支バー３を採用しているが、図６に示すように、複数のパネル体Ｐ・Ｐ…を支持できる吊支バー３を採用して、形態の自由度を更に高めてもよい。
【００４２】
『第３実施形態』
本考案の第２実施形態を図７に基いて以下に説明する。本実施形態では、複数の制御部12・12…を直列に接続した回路ユニット１を比較的サイズの大きい和紙生地２にまとめて抄き込むことにより大判の発光装飾シートを作製した（図７参照）。
【００４３】
これにより、家庭のインテリアとしてだけでなく、店舗等の比較的広い空間を装飾する道具としても発光装飾シートを使用することができ、直列する制御部12の数を増減することによって、シート上における発光分布を任意に選択することができる。
【００４４】
さらに、本実施形態では、回路ユニット１における各制御部12・12…に接続したＬＥＤランプ11・11…の明滅タイミングが異なるように各制御部12・12を設定することにより、大判であっても退屈することのない装飾効果を得られるようにした。
【００４５】
また、本考案は、概ね上記のように構成されるが、図示の実施形態に限定されるものではなく、「実用新案登録請求の範囲」の記載内において種々の変更が可能であって、例えば、回路ユニット１の電源には、交流電源だけでなく、バッテリー等の直流電源を用いてもよく、それによって電源への配線や変換器Ｃを省略することができる。
【００４６】
また、発光装飾シートの構造に関しては、回路ユニット１を一対の和紙生地２・２間に配置し、生地を張り合わせたサンドウィッチ構造や、接着剤を付与した和紙生地２上に回路ユニット１を配置した後、和紙繊維を吹き付ける等して回路ユニット１ごと和紙生地２上面を和紙風コート材で被覆した構造を採用するなどして、発光装飾シートを簡単に作製できるようにしてもよく、何れも本考案の技術的範囲に属する。
【産業上の利用可能性】
【００４７】
最近では、日本古来の「和」の文化が再度見直されつつあり、店舗等の装飾を和風に強調したい商業者や和室を重視した家造りを望む一般家庭が増えてきている。そして、建築空間に和風の装飾を行う際においては、和敬静寂の質素な雅趣に富んだ空間作りが特に重要とされる。本考案品は、このような和風の雰囲気を創出することができ、侘寂のある空間とも調和する発光装飾器具を実現し得る。
【００４８】
このように、本考案の発光装飾シート及びそれを利用した壁掛けパネルは、侘寂のある空間に調和して情緒に溢れた和風の雰囲気を醸し出すことができ、さらに、意匠性及び使用性にも優れた画期的な装飾器具であることから、上記の和風装飾を望む需要者に充分に応えることができるため、本考案の産業上の利用価値は非常に高いと云える。
【図面の簡単な説明】
【００４９】
【図１】本考案の第１実施形態における発光装飾シートを表わす全体斜視図である。
【図２】本考案の第１実施形態における発光装飾シートの内部構造を表わす分解斜視図である。
【図３】本考案の第１実施形態における発光装飾シートの電気的構造を表わすブロック図である。
【図４】本考案の第２実施形態における壁掛けパネルを表わす全体前面図である。
【図５】本考案の第２実施形態における壁掛けパネルの電気的構造を表わすブロック図である。
【図６】本考案の第２実施形態における壁掛けパネルの形態を表わす全体前面図である。
【図７】本考案の第３実施形態における大判の発光装飾シートを表わす全体前面図である。
【符号の説明】
【００５０】
１  回路ユニット
11  ＬＥＤランプ
12  制御部
13  導線
14  電極部
２  和紙生地
21  線条体
３  吊支バー
Ｐ  パネル体
Ｃ  変換器
【図１】
0003122982.tif 000003
【図２】
0003122982.tif 000004
【図３】
0003122982.tif 000005
【図４】
0003122982.tif 000006
【図５】
0003122982.tif 000007
【図６】
0003122982.tif 000008
【図７】
0003122982.tif 000009